(57)【要約】【課題】インターネットファクシミリ装置で送受信される電子メールに対して、一般の電子メールサーバ装置との円滑な通信を確保するできるように所定の処理を実行できる電子メールサーバ装置を提供する。【解決手段】電子メールサーバ装置３１の主制御部１０１は、図５のデータ変換テーブル１０７ａに基づき、受信した電子メールの発信元のドメイン又は発信元の電子メールアドレスが所定のドメイン又は電子メールアドレスであるか否かを判断し、所定のドメイン又は電子メールアドレスであると判断された場合に受信した電子メールの添付ファイルに対して、添付ファイルのフォーマット変換又はフィルタリングなどの変換処理を実行して転送する。【選択図】　図１
2004135249.tif 000002
【特許請求の範囲】
【請求項１】
電子メールを受信して宛先に転送する電子メールサーバ装置において、受信した電子メールに基づいて、所定の処理対象条件を満たしているか否かを判断する判断手段と、上記処理対象条件を満たしているとき、受信した電子メールに対して所定の処理を実行する制御手段とを備えたことを特徴とする電子メールサーバ装置。
【請求項２】
上記所定の処理対象条件は受信した電子メール又は添付ファイルのサイズが所定値を超えるときであり、上記制御手段は、受信した電子メール又は添付ファイルのサイズが所定値を超えるとき、
（ａ）電子メールを分割して配信することと、
（ｂ）電子メールを所定の転送先に転送することと、
（ｃ）電子メールを発信元に返信することと、
（ｄ）電子メール又は添付ファイルを印刷することと
のうちの少なくとも１つの処理を実行することを特徴とする請求項１記載の電子メールサーバ装置。
【請求項３】
上記所定の処理対象条件は受信した電子メールの添付ファイルが特定のフォーマットであり又はではないときであり、上記制御手段は、受信した電子メールの添付ファイルが特定のフォーマットであり又はではないとき、（ａ）添付ファイルを所定のフォーマットに変換して配信することと、
（ｂ）電子メールを所定の転送先に転送することと、
（ｃ）電子メールを発信元に返信することと、
（ｄ）電子メール又は添付ファイルを印刷することと
のうちの少なくとも１つの処理を実行することを特徴とする請求項１記載の電子メールサーバ装置。
【請求項４】
上記所定の処理対象条件は受信した電子メールが特定の種類であり又はではないときであり、上記制御手段は、受信した電子メールが特定の種類であり又はではないとき、
（ａ）電子メールを所定の転送先に転送することと、
（ｂ）電子メールを発信元に返信することと、
（ｃ）電子メールを印刷することと
のうちの少なくとも１つの処理を実行することを特徴とする請求項１記載の電子メールサーバ装置。
【請求項５】
上記所定の処理対象条件は受信した電子メールに特定のデータが含まれるときであり、上記制御手段は、受信した電子メールに特定のデータが含まれるとき、
（ａ）電子メールから特定のデータを除去して配信することと、
（ｂ）電子メールを所定の転送先に転送することと、
（ｃ）電子メールを発信元に返信することと、
（ｄ）電子メールを印刷することと
のうちの少なくとも１つの処理を実行することを特徴とする請求項１記載の電子メールサーバ装置。
【請求項６】
上記所定の処理対象条件は受信した電子メールの発信元は、特定のアドレス又はドメインであり又はではないときであり、上記制御手段は、受信した電子メールの発信元は、特定のアドレス又はドメインであり又はではないとき、
（ａ）電子メールを所定の転送先に転送することと、
（ｂ）電子メールを発信元に返信することと、
（ｃ）電子メールの受信を拒否することと、
（ｄ）電子メールを印刷すること
のうちの少なくとも１つの処理を実行することを特徴とする請求項１記載の電子メールサーバ装置。
【請求項７】
上記所定の処理対象条件は受信した電子メールの配信に失敗したときであり、上記制御手段は、受信した電子メールの配信に失敗したとき、（ａ）電子メールを所定の転送先に転送することと、
（ｂ）電子メールを発信元に返信することと、
（ｃ）電子メールを印刷することと、
（ｄ）所定の時間をおいて電子メールを再配信することと、
（ｅ）他の通信経路を介して又は他の通信方法で電子メールを再配信することとのうちの少なくとも１つの処理を実行することを特徴とする請求項１記載の電子メールサーバ装置。
【請求項８】
上記所定の処理対象条件は複数の分割された電子メールを受信したときであり、上記制御手段は、複数の分割された電子メールを受信したとき、上記受信された複数の分割された電子メールを１つの電子メールに復元した後、所定の転送先に転送することを特徴とする請求項１記載の電子メールサーバ装置。
【請求項９】
上記制御手段は、上記処理対象条件とそれに対応する処理を含むデータを、所定の通信プロトコルを用いて外部装置から受信することを特徴とする請求項１乃至８のうちのいずれか１つに記載の電子メールサーバ装置。
【発明の詳細な説明】
【０００１】
【発明の属する技術分野】
本発明は、電子メールを受信して宛先に転送する電子メールサーバ装置に関する。
【０００２】
【従来の技術】
従来、電子メールを利用してインターネットを介して画像データを送受信するインターネットファクシミリ装置を用いたインターネットファクシミリ通信システムが、ＩＴＵ−Ｔ勧告Ｔ．３７において提案されている。このインターネットファクシミリ装置では、画像データを含む電子メールを送信側の電子メールサーバ装置（ゲートウェイ装置）及びインターネットを介して受信側の電子メールサーバ装置（ゲートウェイ装置）にＳＭＴＰ方式で送信し、受信側のインターネットファクシミリ装置は、ＳＭＴＰ方式又はＰＯＰ３方式で受信側のメールサーバ装置から、画像データを含む電子メールを受信して、受信された画像データを画像記録部を用いて印字する。
【０００３】
そして、例えば、特許文献１において、「電子メールの通信機能を有する通信端末装置において、通信の相手装置の受信能力情報を要求する電子メールを相手装置に対して送出し、相手装置の受信能力情報を含む電子メールを受信し、該電子メールに含まれる相手装置の受信能力情報に応じた電子メールを該相手装置に対して送出することを特徴とする電子メール機能付通信端末装置」が開示されている。これにより、メールアドレスは分かっているがその受信能力が不明である相手装置に対しても、相手装置の受信能力に応じた電子メールを送出できるという効果を有している。
【０００４】
【特許文献１】
特開平１１−１２７３３０号公報
【０００５】
【発明が解決しようとする課題】
上述のインターネットファクシミリ装置等では、添付ファイルのサイズ、フォーマット等など特有の事情があるので、インターネットファクシミリ装置専用の電子メールサーバ装置を設置することが多い。しかしながら、インターネットファクシミリ装置と一般の電子メールサーバ装置との間にパケット通信において、添付ファイルや電子メールのサイズなどの原因で通信エラーが発生する場合がある。すなわち、一般のプロトコルを使用している以上、一般の電子メールサーバ装置とも円滑な通信を確保する必要があるという問題点があった。
【０００６】
本発明の目的は以上の問題点を解決し、インターネットファクシミリ装置からの電子メール又はインターネットファクシミリ装置への電子メール対して、一般の電子メールサーバ装置との円滑な通信を確保するできるように所定の処理を実行できる電子メールサーバ装置を提供することにある。
【０００７】
【課題を解決するための手段】
本発明に係る電子メールサーバ装置は、電子メールを受信して宛先に転送する電子メールサーバ装置において、受信した電子メールに基づいて、所定の処理対象条件を満たしているか否かを判断する判断手段と、上記処理対象条件を満たしているとき、受信した電子メールに対して所定の処理を実行する制御手段とを備えたことを特徴とする。
【０００８】
上記電子メールサーバ装置において、上記所定の処理対象条件は受信した電子メール又は添付ファイルのサイズが所定値を超えるときであり、上記制御手段は、受信した電子メール又は添付ファイルのサイズが所定値を超えるとき、
（ａ）電子メールを分割して配信することと、
（ｂ）電子メールを所定の転送先に転送することと、
（ｃ）電子メールを発信元に返信することと、
（ｄ）電子メール又は添付ファイルを印刷することと
のうちの少なくとも１つの処理を実行することを特徴とする。
【０００９】
また、上記電子メールサーバ装置において、上記所定の処理対象条件は受信した電子メールの添付ファイルが特定のフォーマットであり又はではないときであり、上記制御手段は、受信した電子メールの添付ファイルが特定のフォーマットであり又はではないとき、
（ａ）添付ファイルを所定のフォーマットに変換して配信することと、
（ｂ）電子メールを所定の転送先に転送することと、
（ｃ）電子メールを発信元に返信することと、
（ｄ）電子メール又は添付ファイルを印刷することと
のうちの少なくとも１つの処理を実行することを特徴とする。
【００１０】
さらに、上記電子メールサーバ装置において、上記所定の処理対象条件は受信した電子メールが特定の種類であり又はではないときであり、上記制御手段は、受信した電子メールが特定の種類であり又はではないとき、
（ａ）電子メールを所定の転送先に転送することと、
（ｂ）電子メールを発信元に返信することと、
（ｃ）電子メールを印刷することと
のうちの少なくとも１つの処理を実行することを特徴とする。
【００１１】
またさらに、上記電子メールサーバ装置において、上記所定の処理対象条件は受信した電子メールに特定のデータが含まれるときであり、上記制御手段は、受信した電子メールに特定のデータが含まれるとき、
（ａ）電子メールから特定のデータを除去して配信することと、
（ｂ）電子メールを所定の転送先に転送することと、
（ｃ）電子メールを発信元に返信することと、
（ｄ）電子メールを印刷することと
のうちの少なくとも１つの処理を実行することを特徴とする。
【００１２】
また、上記電子メールサーバ装置において、上記所定の処理対象条件は受信した電子メールの発信元は、特定のアドレス又はドメインであり又はではないときであり、上記制御手段は、受信した電子メールの発信元は、特定のアドレス又はドメインであり又はではないとき、
（ａ）電子メールを所定の転送先に転送することと、
（ｂ）電子メールを発信元に返信することと、
（ｃ）電子メールの受信を拒否することと、
（ｄ）電子メールを印刷すること
のうちの少なくとも１つの処理を実行することを特徴とする。
【００１３】
さらに、上記電子メールサーバ装置において、上記所定の処理対象条件は受信した電子メールの配信に失敗したときであり、上記制御手段は、受信した電子メールの配信に失敗したとき、
（ａ）電子メールを所定の転送先に転送することと、
（ｂ）電子メールを発信元に返信することと、
（ｃ）電子メールを印刷することと、
（ｄ）所定の時間をおいて電子メールを再配信することと、
（ｅ）他の通信経路を介して又は他の通信方法で電子メールを再配信することとのうちの少なくとも１つの処理を実行することを特徴とする。
【００１４】
またさらに、上記電子メールサーバ装置において、上記所定の処理対象条件は複数の分割された電子メールを受信したときであり、上記制御手段は、複数の分割された電子メールを受信したとき、上記受信された複数の分割された電子メールを１つの電子メールに復元した後、所定の転送先に転送することを特徴とする。
【００１５】
また、上記電子メールサーバ装置において、上記制御手段は、上記処理対象条件とそれに対応する処理を含むデータを、所定の通信プロトコルを用いて外部装置から受信することを特徴とする。
【００１６】
【発明の実施の形態】
以下、図面を参照して本発明に係る実施形態について説明する。
【００１７】
＜第１の実施形態＞
図１は、本発明に係る第１の実施形態である、複数のインターネットファクシミリ装置２０Ａ，２０Ｂ，２０Ｃが接続されたＬＡＮ７０と、複数のクライアントパーソナルコンピュータ１３０Ａ，１３０Ｂ，１３０Ｃが接続されたＬＡＮ１７０とがインターネット４０を介して接続された通信システムの構成を示すブロック図である。
【００１８】
この実施形態に係る通信システムは、複数のインターネットファクシミリ装置２０Ａ，２０Ｂ，２０ＣはＬＡＮ７０に接続され、当該ＬＡＮ７０には電子メールサーバ装置３１が接続される一方、複数のクライアントパーソナルコンピュータ１３０Ａ，１３０Ｂ，１３０ＣはＬＡＮ１７０に接続され、当該ＬＡＮ１７０には電子メールサーバ装置１３１が接続される。ここで、ＬＡＮ７０はルータ装置３２、インターネット４０及びルータ装置１３２を介してＬＡＮ１７０に接続される。電子メールサーバ装置３１は、電子メールを受信して宛先に転送するものであり、図５のデータ変換テーブル１０７ａを記憶したＲＡＭ１０７を備える。
【００１９】
電子メールサーバ装置３１の主制御部１０１は、上記データ変換テーブル１０７ａに基づき、受信した電子メールの発信元のドメイン又は発信元の電子メールアドレスが所定のドメイン又は電子メールアドレスであるか否かを判断し、所定のドメイン又は電子メールアドレスであると判断された場合に受信した電子メールの添付ファイルに対して、添付ファイルのフォーマット変換又はフィルタリングなどの変換処理を実行して転送することを特徴としている。また、主制御部１０１は、上記データ変換テーブル１０７ａに基づき、受信した電子メールの宛先のドメイン又は宛先の電子メールアドレスが所定のドメイン又は電子メールアドレスであるか否かを判断する判断手段と、所定のドメイン又は電子メールアドレスであると判断された場合に受信した電子メールの添付ファイルに対して、添付ファイルのフォーマット変換又はフィルタリングなどの変換処理を実行して転送することを特徴としている。
【００２０】
図２は、図１のインターネットファクシミリ装置２０Ａの構成を示すブロック図である。なお、図２のインターネットファクシミリ装置２０Ｂ，２０Ｃもインターネットファクシミリ装置２０Ａと同様の構成を有する。
【００２１】
図２において、インターネットファクシミリ装置２０Ａは、従来のＧ３方式等のファクシミリ通信機能を備えるとともに、インターネット４０を介して電子メールを利用して画像データを送受信するインターネットファクシミリ機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置などからファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００２２】
操作部５は、当該インターネットファクシミリ装置２０を操作するために必要な文字キー、ダイヤル用テンキー、短縮ダイヤルキー、ワンタッチダイヤルキー、及び各種のファンクションキー、マウス等を備える。なお、上述の表示部４をタッチパネル方式とすることにより、この操作部５の各種キーの内の一部又は全部を代用するように構成してもよい。
【００２３】
ＲＯＭ６は、当該インターネットファクシミリ装置２０Ａの動作に必要であって主制御部１によって実行される種々のソフトウェアのプログラムを予め格納する。これらのプログラムは、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。コンパクトフラッシュ（登録商標）８は、いわゆる画像メモリと、プログラム記録媒体としてのメモリとの役割を有する。
【００２４】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Ｎｅｔｗｏｒｋ　Ｃｏｎｔｒｏｌ　Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル回線（例えば、ＩＳＤＮ回線）に接続するようにしてもよい。
【００２５】
インターフェース回路１２は、当該インターネットファクシミリ装置２０を、例えばイーサネット（登録商標）などのＬＡＮ７０等に接続するために、信号やデータの信号変換やプロトコル変換を行うインターフェース回路である。
【００２６】
以上のように構成された本実施形態のインターネットファクシミリ装置２０は、通常のＧ３方式等のファクシミリ通信機能に加えて、インターネットファクシミリ通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００２７】
また、図１に示すように、ルータ装置３２はインターネット４０及び相手先のルータ装置１３２を介して相手先の電子メールサーバ装置１３１に接続される。当該インターネットファクシミリ装置２０Ａから例えばクライアントパーソナルコンピュータ１３０Ａに対して、画像データを添付ファイルとして添付してメール送信するときは、図２のＬＡＮインターフェース１２からＬＡＮ７０を介して一旦電子メールサーバ装置３１に送信した後、電子メールサーバ装置３１が当該インターネットメールを、ＬＡＮ７０、ルータ装置３２、インターネット４０、ルータ装置１３２及び相手先の電子メールサーバ装置１３１を介して宛先のクライアントパーソナルコンピュータ１３０Ａに対してメール送信する。一方、インターネットメールを受信するときは、上記の逆の経路で受信する。ここで、電子メールサーバ装置３１からインターネットネットメールを受信する方法は、ＰＯＰ３を用いてもよいし、ＳＭＴＰにより受信してもよい。ここで、前者のＰＯＰ３を用いたときは、電子メールサーバ装置３１はハードディスクドライブ１０８にメールボックスを有し、インターネットファクシミリ装置２０Ａ，２０Ｂ，２０Ｃは所定の周期で周期的に電子メールサーバ装置３１のメールボックスにアクセスして電子メールを受信する。また、後者のＳＭＴＰを用いたときは、電子メールサーバ装置３１は受信した電子メールをそのまま宛先のインターネットファクシミリ装置に送信し、これに応答してインターネットファクシミリ装置はその電子メールを受信する。なお、インターネット４０への回線接続は、専用回線などに限らず、公衆電話回線Ｌを用いたダイヤルアップ接続でもよい。
【００２８】
図３は、図１の電子メールサーバ装置３１の構成を示すブロック図である。なお、図１の電子メールサーバ装置１３１も図３と同様の構成を有するが、データ変換テーブル１０７ａを備えず、それに基づいてデータ変換機能を備えていない。
【００２９】
図３において、電子メールサーバ装置３１は、公知のパーソナルコンピュータで構成され、電子メールの転送を実行する。主制御部１０１は具体的にはＣＰＵで構成されており、バス１１３を介して以下のハードウェア各部と接続されていてそれらを制御するほか、後述する種々のソフトウェアの機能を実行する。電子メールサーバ装置３１において、表示部１０４は、液晶表示装置（ＬＣＤ）又はＣＲＴディスプレイ等の表示装置であり、当該電子メールサーバ装置３１の動作状態を表示したり、送信すべき原稿のイメージデータ、及び受信したイメージデータの表示を行う。操作部１０５は、例えばキーボードやマウスであり、文字データや指示コマンドを入力するためのものである。
【００３０】
ＲＯＭ１０６は、当該電子メールサーバ装置３１の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。ここで、ＲＡＭ１０７は、上記データ変換テーブル１０７ａを含む。さらに、ハードディスクドライブ１０８は、記録媒体を内蔵する記憶装置であり、実行するアプリケーションプログラムや画像メモリを格納する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００３１】
なお、電子メールサーバ装置３１におけるデータ変換テーブル１０７ａに基づいてデータ変換機能については詳細後述する。
【００３２】
図４は、図１のクライアントパーソナルコンピュータ１３１Ａの構成を示すブロック図である。なお、図１のクライアントパーソナルコンピュータ１３１Ｂ，１３１Ｃも図４と同様の構成を有する。
【００３３】
図４において、クライアントパーソナルコンピュータ１３１Ａは、公知のパーソナルコンピュータで構成され、電子メールの送受信、画像データや文字データの生成や記録などの処理を実行する。本実施形態においては、クライアントパーソナルコンピュータ１３１Ａは、一例として、ファクシミリの画像データを送信し又は受信する端末装置として用いられる。主制御部２０１は具体的にはＣＰＵで構成されており、バス２１３を介して以下のハードウェア各部と接続されていてそれらを制御するほか、後述する種々のソフトウェアの機能を実行する。このクライアントパーソナルコンピュータ１３１Ａにおいて、画像読取部２０２及び画像記録部２０３はオプションで設けられ、画像読取部２０２は、ＣＣＤ等を利用したスキャナで原稿を読み取り、白黒２値に変換したドットイメージデータを出力する。画像記録部２０３は例えば電子写真方式等のプリンタ装置であり、インターネットファクシミリ装置３０Ａ，３０Ｂ，３０Ｃからファクシミリ通信により受信したイメージデータをハードコピーとしてプリントアウトして記録したり、文字データを記録する。表示部２０４は、液晶表示装置（ＬＣＤ）又はＣＲＴディスプレイ等の表示装置であり、当該クライアントパーソナルコンピュータ１３１Ａの動作状態を表示したり、送信すべき原稿のイメージデータ、及び受信したイメージデータの表示を行う。操作部２０５は、例えばキーボードやマウスであり、文字データや指示コマンドを入力するためのものである。
【００３４】
ＲＯＭ２０６は、当該クライアントパーソナルコンピュータ１３１Ａの動作に必要であって主制御部２０１によって実行される種々のソフトウェアのプログラムを予め格納する。また、ＲＡＭ２０７は、ＳＲＡＭ、ＤＲＡＭ、ＳＤＲＡＭ等で構成され、主制御部２０１のワーキングエリアとして使用されてプログラムの実行時に発生する一時的なデータを記憶する。さらに、ハードディスクドライブ２０８は、記録媒体を内蔵する記憶装置であり、実行するアプリケーションプログラムや画像メモリを格納する。ＬＡＮインターフェース２１２は、ＬＡＮ１７０に接続され、ＬＡＮ１７０からの信号やデータを受信する一方、ＬＡＮ１７０に対して信号やデータを送信して信号変換やプロトコル変換などのインターフェース処理を実行する。
【００３５】
図５は、図３のＲＡＭ１０７内のデータ変換テーブル１０７ａの一例を示す図である。図５に示すように、発信元ドメイン、宛先ドメイン、データのフォーマットの種類を示す変換前の拡張子、データのフォーマットの種類を示す変換後の拡張子とを含む。以下、データ変換テーブル１０７ａの例に基づいて、電子メールサーバ装置３１のデータ変換処理について説明する。
【００３６】
電子メールサーバ装置３１の主制御部１０１は、受信した電子メールの発信元ドメインがクライアントパーソナルコンピュータ１３０Ａ，１３０Ｂ，１３０Ｃに係るドメイン「ｐｃ．ｓａｍｐｌｅ．ｃｏ．ｊｐ」であり、その宛先のドメインがインターネットファクシミリ装置２０Ａ，２０Ｂ，２０Ｃに係るドメイン「ｉｆａｘ．ｓａｍｐｌｅ．ｃｏ．ｊｐ」である場合に、受信した電子メールに添付されたファイルの変換前の拡張子が画像データのファイルを示すＪＰＧ，ＪＰＥＧ、文書ファイルを示すＤＯＣ，ＴＸＴ、表計算ファイルを示すＸＬＳ（なお、大文字に限らず、小文字でもよい。）であるとき、その添付されたファイルのデータをファクシミリ装置で容易に画像データとして使用できるＴＩＦのデータファイルにフォーマット変換した後、当該電子メールを転送する。これにより、インターネットファクシミリ装置２０Ａ，２０Ｂ，２０Ｃにおいては、データのフォーマット変換をすることなく印字出力することができる。
【００３７】
また、逆に、受信した電子メールの発信元ドメインがインターネットファクシミリ装置２０Ａ，２０Ｂ，２０Ｃに係るドメイン「ｉｆａｘ．ｓａｍｐｌｅ．ｃｏ．ｊｐ」であり、その宛先のドメインがクライアントパーソナルコンピュータ１３０Ａ，１３０Ｂ，１３０Ｃに係るドメイン「ｐｃ．ｓａｍｐｌｅ．ｃｏ．ｊｐ」である場合に、受信した電子メールに添付されたファイルの変換前の拡張子がＴＩＦであるとき、その添付されたファイルのデータを、クライアントパーソナルコンピュータで容易に表示又は印字できる汎用の画像データファイルであるＰＤＦのデータファイルにフォーマット変換した後、当該電子メールを転送する。これにより、クライアントパーソナルコンピュータ１３０Ａ，１３０Ｂ，１３０Ｃにおいて、データのフォーマット変換をすることなく表示や印字出力することができる。
【００３８】
図５の一例では、発信元ドメインや宛先ドメインを示しているが、発信元の電子メールアドレスや宛先の電子メールアドレスを指定してもよい。また、データフォーマットの変換処理は、発信元及び宛先の条件が不一致したとき実行するようにしてもよく、もしくは、発信元又は宛先のいずれの条件が一致したとき又は不一致したときのみ実行するようにしてもよい。特に、当該電子メールサーバ装置３１をインターネットファクシミリ装置２０Ａ，２０Ｂ，２０Ｃのみが接続されたＬＡＮ７０に接続されるときは、インターネットファクシミリ装置への電子メールの受信又はインターネットファクシミリ装置からの電子メールの送信が明らかであるのでインターネットファクシミリ装置側のドメインや電子メールアドレスを判断する必要はなくなる。
【００３９】
さらに、例えば、インターネットファクシミリ装置２０Ａからクライアントパーソナルコンピュータ１３０Ａに電子メールを送信するときに、電子メールサーバ装置３１は、受信した電子メールのデータ量が所定のしきい値を越えるか否か判断し、そのデータ量が上記しきい値を越えると判断された場合に受信した電子メールを所定のサイズに分割して転送するように制御する。ここで、上記しきい値は、転送先の宛先の通信端末装置の能力に基づいて決定される。
【００４０】
以上説明したように本実施形態によれば、インターネットファクシミリ装置専用でない一般の電子メールサーバ装置と通信する場合に、双方にとって、最適なファイルのフォーマット又はサイズに変換して転送できる。
【００４１】
＜第２の実施形態＞
インターネットファクシミリ装置２０Ａ，２０Ｂ，２０Ｃでは、画像データを電子メールとして送受信するため、通常やり取りされるテキストメールに比べるとサイズも大きい。また、クライアントパーソナルコンピュータ１３０Ａ，１３０Ｂ，１３０Ｃと異なり受信能力が限定的であり受信しても扱えない電子メールも多く、ウィルスなどの攻撃から保護する為のウィルス駆除ソフトなどをインストールすることもできない。つまり、インターネットファクシミリ装置２０Ａ，２０Ｂ，２０Ｃ同士で構築された電子メール環境は、通常の電子メール環境とは異なることが多い。そこで、インターネットファクシミリ装置用の電子メールサーバ装置３１を提供することで、異質な部分を吸収する。このインターネットファクシミリ装置用電子メールサーバ装置３１は、インターネットファクシミリ装置のメール環境と通常のメール環境を接続するゲートウェイのような役割をすることを特徴としている。
【００４２】
具体的には、電子メールサーバ装置３１は以下のような機能を有することが好ましい。
（１）インターネットファクシミリ装置２０Ａ，２０Ｂ，２０Ｃでは受信できない電子メールなどを定義しておくことができ、外部から受信した電子メールを解析し、受信できないものは返信したり、転送したりエラー処理を行うことができる。
（２）登録されたインターネットファクシミリ装置２０Ａ，２０Ｂ，２０Ｃの受信能力を定義しておくことができ、外部から受信した電子メールを解析し、端末の受信能力に合わせて変換することができる。
（３）外部から受信した電子メールを解析し、ウィルスチェックなどを行いインターネットファクシミリ装置２０Ａ，２０Ｂ，２０Ｃに障害を及ぼすと判断された電子メールの駆除を行うことができる。
（４）インターネットファクシミリ装置２０Ａ，２０Ｂ，２０Ｃから外部に送信された電子メールをチェックし、あらかじめ設定されているメールサイズのしきい値を越えるものについては電子メールの分割処理を行うことができる。
（５）インターネットファクシミリ装置２０Ａ，２０Ｂ，２０Ｃの端末で受信許可する電子メールアドレスやドメイン名を定義しておくことができ、外部から受信したメールが許可されたアドレスからのものでなければ、その電子メールの受信を拒否することができる。すなわち、フィルタリングの機能を提供する。この場合、電子メールサーバ装置３１は当該電子メールの転送を禁止してもよい。
【００４３】
すなわち、第２の実施形態に係る電子メールサーバ装置３１の主制御部１０１は、第１の実施形態の構成に加えて、基本的な処理として、電子メールを受信して宛先に転送するが、これに加えて、受信した電子メールに基づいて、図６に示す所定の処理対象条件を満たしているか否かを判断し、当該処理対象条件を満たしているとき、受信した電子メールに対して図６に示す所定の処理を実行する、いわゆる電子メールのフィルタリング処理を実行することを特徴としている。
【００４４】
図６は第２の実施形態に係る電子メールサーバ装置３１に格納される条件及び処理テーブルの一例を示す図であり、図７は第２の実施形態に係る電子メールサーバ装置３１に格納される宛先毎の条件及び処理の詳細内容テーブルの一例を示す図である。本実施形態において、主制御部１０１は、図６及び図７に示すように、処理対象条件が下記の条件のうちの予め設定された少なくとも１つの条件を満たしているときに、下記の処理のうちの予め設定された少なくとも１つの処理を実行する。
【００４５】
（Ａ）受信した電子メール又は添付ファイルのサイズが所定値を超えるとき、
（ａ）電子メールを分割して配信することと
（ｂ）電子メールを所定の転送先に転送することと、
（ｃ）電子メールを発信元に返信することと、
（ｄ）電子メール又は添付ファイルを印刷することと、
のうちの少なくとも１つの処理を実行する。ここで、上記サイズは、好ましくは、図７に示すように、宛先の電子メールアドレス毎に設定される。また、転送先は図７のテーブルに格納しておく。さらに、電子メール又は添付ファイルの印刷処理は、ＬＡＮ７０に接続されたネットワークプリンタを用いてもよいし、電子メールサーバ装置３１内のプリンタを用いてもよく、以下同様である。
【００４６】
（Ｂ）受信した電子メールの添付ファイルが特定のフォーマット（図７に示す処理可能なフォーマットをいう。）であり又はではないとき、
（ａ）添付ファイルを所定のフォーマットに変換して配信することと、
（ｂ）電子メールを所定の転送先に転送することと、
（ｃ）電子メールを発信元に返信することと、
（ｄ）電子メール又は添付ファイルを印刷することと
のうちの少なくとも１つの処理を実行する。ここで、上記変換先のフォーマットは、好ましくは、図７に示すように、宛先の電子メールアドレス毎に設定される。また、転送先は図７のテーブルに格納しておく。
【００４７】
（Ｃ）受信した電子メールが特定の種類であり又はではないとき、
（ａ）電子メールを所定の転送先に転送することと、
（ｂ）電子メールを発信元に返信することと、
（ｃ）電子メールを印刷することと
のうちの少なくとも１つの処理を実行する。ここで、特定の種類とは、例えば、受領確認メールやリモート保守用メールであり、これらの電子メールを受信したときは他の条件の適用を除外することが好ましい。また、転送先は図７のテーブルに格納しておく。
【００４８】
（Ｄ）受信した電子メールに特定のデータが含まれるとき、
（ａ）電子メールから特定のデータを除去して配信することと、
（ｂ）電子メールを所定の転送先に転送することと、
（ｃ）電子メールを発信元に返信することと、
（ｄ）電子メールを印刷することと
のうちの少なくとも１つの処理を実行する。ここで、特定のデータとは、ウィルスを含むデータである。また、転送先は図７のテーブルに格納しておく。
【００４９】
（Ｅ）受信した電子メールの発信元は、特定のアドレス又はドメインであり又はではないとき、
（ａ）電子メールを所定の転送先に転送することと、
（ｂ）電子メールを発信元に返信することと、
（ｃ）電子メールの受信を拒否することと、
（ｄ）電子メールを印刷すること
のうちの少なくとも１つの処理を実行する。ここで、特定のアドレス又はドメインは、図７のテーブルに格納されている。また、転送先は図７のテーブルに格納しておく。
【００５０】
（Ｆ）受信した電子メールの配信に失敗したとき、
（ａ）電子メールを所定の転送先に転送することと、
（ｂ）電子メールを発信元に返信することと、
（ｃ）電子メールを印刷することと、
（ｄ）所定の時間をおいて電子メールを再配信することと、
（ｅ）他の通信経路を介して又は他の通信方法で電子メールを再配信することとのうちの少なくとも１つの処理を実行する。ここでの処理は、図７のテーブルに格納されており、他の通信経路を介して又は他の通信方法で電子メールを再配信することとは、例えば、図７に示すように、公衆電話回線を用いてＧ３のファクシミリ手順を用いてファクシミリ送信し、又はインターネットを介してＦＴＰ手順で送信し、もしくは、インターネットを介してＨＴＴＰファイルに変換して送信する。
【００５１】
（Ｇ）複数の分割された電子メールを受信したとき、上記受信された複数の分割された電子メールを１つの電子メールに復元した後、所定の転送先に転送する。
【００５２】
なお、主制御部１は、好ましくは、例えば図７や図８のテーブルのデータなど、上記処理対象条件とそれに対応する処理を含むデータを、例えば、ディレクトリ・サービスにアクセスするための標準プロトコルであるＬＤＡＰ（ｌｉｇｈｔｗｅｉｇｈｔ　Ｄｉｒｅｃｔｏｒｙ　Ａｃｃｅｓｓ　Ｐｒｏｔｏｃｏｌ）などの所定の通信プロトコルを用いて、他の電子メールサーバ装置等のサーバ装置など外部装置から入手して受信してもよい。具体的には、電子メールサーバ装置３１において、インターネットファクシミリ装置などのクライアント端末装置に電子メールを配信する時に、電子メールサーバ装置３１がＬＤＡＰなどのディレクトリサービスによりクライアント端末装置の受信能力を検索し、クライアント端末装置にて解析不可能な電子メールを電子メールサーバ装置３１でクライアント端末装置が解析出来る形式に変換処理して配信する。また、電子メール通信装置３１において、電子メールを送信したときに失敗したときＬＡＤＰ等のディレクトリサービスにて送信先の電子メールアドレスから、送信先情報を検索し、他の通信手段の情報（ファクシミリ番号、ＦＴＰのアドレス等）が取得できた場合には、自動的にその通信手段にて再送信する。これにより、従って、これらのデータを容易に入手して受信することができ、電子メールを確実に配信することができる。
【００５３】
＜変形例＞
以上の実施形態においては、ファクシミリサーバ装置２０の例について述べているが、本発明はこれに限らず、公衆電話網又は公衆デジタル回線網などの公衆網やインターネットに接続された、例えば電話機、データ通信装置、サーバ装置などを含む通信端末装置に適用することができる。
【００５４】
以上の実施形態において、主制御部１０１が上述の電子メールのフィルタリング処理を実行しているが、本発明はこれに限らず、以下の処理対象条件で以下の処理を実行するようにしてもよい。すなわち、上記処理対象条件は、
（ａ）受信した電子メール又は添付ファイルのサイズが所定値以上、所定値以下、又は所定値未満であること（この所定値は、サーバ装置又は宛先毎に設定してもよい。）と、
（ｂ）受信した電子メールが所定の電子メールの種類であり又はでないこと（例えば、受領確認メールやリモート保守用メールには、他の条件の適用を除外することが好ましい。）と、
（ｃ）受信した電子メールの添付ファイルが所定のフォーマットを有し又は有しないこと（フォーマットの設定は、サーバ装置毎又は宛先毎の設定であってもよい。）と、
（ｄ）受信した電子メールが不適切なデータ（例えば、ウィルスを含むデータをいう。）を含み又は含まないことと、
（ｅ）受信した電子メールが所定の発信元の電子メールアドレス又はドメインからのものであり又はでないことと、
（ｆ）受信した電子メールが所定の宛先の電子メールアドレス又はドメインへのものであり又はでないことと
のうちの少なくとも１つの条件、もしくはこれらの組み合わせの条件を満たすことである。
【００５５】
また、上記条件に対応して実行する処理は、
（ａ）受信した電子メールの転送の中止と、
（ｂ）受信した電子メールの発信元への返信と、
（ｃ）受信した電子メールの管理者への転送と、
（ｄ）受信した電子メールの添付ファイルに対する、宛先の通信端末装置で処理可能なファイルのフォーマットへの変換処理と、
（ｅ）受信した電子メールの本文又は添付ファイルに対する、宛先の通信端末装置で処理可能なサイズへの分割処理と
のうちの少なくとも１つの処理、もしくはこれらの組み合わせの処理である。
【００５６】
【発明の効果】
以上詳述したように本発明に係る電子メールサーバ装置によれば、電子メールを受信して宛先に転送する電子メールサーバ装置において、受信した電子メールに基づいて、所定の処理対象条件を満たしているか否かを判断する判断手段と、上記処理対象条件を満たしているとき、受信した電子メールに対して所定の処理を実行する制御手段とを備える。従って、インターネットファクシミリ装置からの電子メール又はインターネットファクシミリ装置への電子メール対して、一般の電子メールサーバ装置との円滑な通信を確保するできるように所定の処理を実行できる。
【００５７】
また、上記電子メールサーバ装置において、上記制御手段は、上記処理対象条件とそれに対応する処理を含むデータを、所定の通信プロトコルを用いて外部装置から受信する。従って、これらのデータを容易に入手して受信することができる。
【図面の簡単な説明】
【図１】本発明に係る第１の実施形態である、複数のインターネットファクシミリ装置２０Ａ，２０Ｂ，２０Ｃが接続されたＬＡＮ７０と、複数のクライアントパーソナルコンピュータ１３０Ａ，１３０Ｂ，１３０Ｃが接続されたＬＡＮ１７０とがインターネット４０を介して接続された通信システムの構成を示すブロック図である。
【図２】図１のインターネットファクシミリ装置２０Ａの構成を示すブロック図である。
【図３】図１の電子メールサーバ装置３１の構成を示すブロック図である。
【図４】図１のクライアントパーソナルコンピュータ１３０Ａの構成を示すブロック図である。
【図５】図３のＲＡＭ１０７内のデータ変換テーブル１０７ａの一例を示す図である。
【図６】第２の実施形態に係る電子メールサーバ装置３１に格納される条件及び処理テーブルの一例を示す図である。
【図７】第２の実施形態に係る電子メールサーバ装置３１に格納される宛先毎の条件及び処理の詳細内容テーブルの一例を示す図である。
【符号の説明】
１…主制御部、
２…画像読取部、
３…画像記録部、
４…表示部、
５…操作部、
６…ＲＯＭ、
７…ＳＲＡＭ、
８…コンパクトフラッシュ（登録商標）、
１０…ファックスモデム、
１１…ＮＣＵ、
１２…ＬＡＮインターフェース、
１３…バス、
２０Ａ，２０Ｂ，２０Ｃ…ファクシミリサーバ装置、
３１，１３１…メールサーバ装置、
３２…ルータ装置、
４０…インターネット、
１０１…主制御部、
１０４…表示部、
１０５…操作部、
１０６…ＲＯＭ、
１０７…ＲＡＭ、
１０７ａ…データ変換テーブル、
１０８…画像メモリ、
１１２…ＬＡＮインターフェース、
１１３…バス、
１３０Ａ，１３０Ｂ，１３０Ｃ…クライアントパーソナルコンピュータ、
２０１…主制御部、
２０２…画像読取部、
２０３…画像記録部、
２０４…表示部、
２０５…操作部、
２０６…ＲＯＭ、
２０７…ＲＡＭ、
２０８…ハードディスクドライブ、
２１２…ＬＡＮインターフェース、
２１３…バス、
Ｌ…公衆電話回線。
【図１】
2004135249.tif 000003
【図２】
2004135249.tif 000004
【図３】
2004135249.tif 000005
【図４】
2004135249.tif 000006
【図５】
2004135249.tif 000007
【図６】
2004135249.tif 000008
【図７】
2004135249.tif 000009